(57)【要約】【課題】災害発生後に被災者に有用なコンテンツを高速、かつ確実に提供することが可能な、コンテンツ配信システム、ワンセグメント放送装置を提供する。【解決手段】ワンセグメント放送手段６と、ＩＰ網７を介してワンセグメント放送手段６に第１コンテンツを配信する送出設備３と、同報無線３４を介して、第２コンテンツの配信、および放送されるコンテンツを切り替える切り替えコマンドの送信を行う同報無線親局２５と、同報無線親局２５から第２コンテンツと切り替えコマンドとを受信してワンセグメント放送手段６に中継する屋外子局２６と、を備え、同報無線親局２５は、屋外子局２６を経由して、ワンセグメント放送手段６に対して第２コンテンツの配信と切り替えコマンドの送信とを行い、ワンセグメント放送手段６は、切り替えコマンドに基づいて、第１コンテンツと第２コンテンツとを切り替えて放送する。【選択図】図２
2014155116.tif 000002
【特許請求の範囲】
【請求項１】
特定の地域に対してワンセグメント放送を行うワンセグメント放送手段と、
ＩＰ網を介して、前記ワンセグメント放送手段に対して第１コンテンツを配信する送出設備と、
同報無線を介して、第２コンテンツの配信、および放送されるコンテンツを切り替える切り替えコマンドの送信を行う同報無線親局と、
前記同報無線親局から前記第２コンテンツと前記切り替えコマンドとを受信して前記ワンセグメント放送手段に中継する屋外子局と、を備え、
前記同報無線親局は、前記屋外子局を経由して、前記ワンセグメント放送手段に対して前記第２コンテンツの配信と前記切り替えコマンドの送信とを行い、
前記ワンセグメント放送手段は、前記切り替えコマンドに基づいて、前記第１コンテンツと前記第２コンテンツとを切り替えて放送することを特徴とするコンテンツ配信システム。
【請求項２】
前記ワンセグメント放送手段は、第３コンテンツを予め記憶した記憶手段を備え、前記屋外子局を経由して受信した前記切り替えコマンドに基づいて、前記第２コンテンツと前記第３コンテンツとを切り替えて放送することを特徴とする、請求項１に記載のコンテンツ配信システム。
【請求項３】
特定の地域に対してワンセグメント放送を行うワンセグメント放送手段と、
ＩＰ網を介して、前記ワンセグメント放送手段に対して第１コンテンツを配信する送出設備と、
同報無線を介して、前記ワンセグメント放送手段によって放送されるコンテンツを切り替える切り替えコマンドを送信する同報無線親局と、
前記同報無線親局から前記切り替えコマンドを受信して前記ワンセグメント放送手段に中継する屋外子局と、を備え、
前記ワンセグメント放送手段は、第３コンテンツを予め記憶した記憶手段を有し、
前記送出設備は、前記同報無線親局に対して所定の情報を送信する情報送信手段を有し、
前記同報無線親局は、前記情報送信手段から送信された所定の情報に基づいて、前記切り替えコマンドを送信し、
前記ワンセグメント放送手段は、前記屋外子局を経由して受信した前記切り替えコマンドに基づいて、前記第１コンテンツと前記第３コンテンツとを切り替えて放送することを特徴とするコンテンツ配信システム。
【請求項４】
前記送出設備と前記ワンセグメント放送手段とを接続し、前記第１コンテンツを前記送出設備から前記ワンセグメント放送手段に中継する第１ネットワークと、
前記ワンセグメント放送手段に設けられ、前記第１ネットワークの状態を検査する第１検査手段と、を備え、
前記同報無線親局は、
前記第１検査手段に対して検査用制御コマンドを送信して、前記第１検査手段による検査結果を入手し、
前記第１検査手段による検査結果に基づいて、前記第１ネットワークの状態を異常と判断した場合は、前記同報無線を介して、第２コンテンツの配信、および前記切り替えコマンドの送信を行い、
前記ワンセグメント放送手段は、前記屋外子局を経由して受信した前記切り替えコマンドに基づいて、前記第２コンテンツと前記第３コンテンツとを切り替えて放送することを特徴とする請求項３に記載のコンテンツ配信システム。
【請求項５】
前記同報無線親局と前記ワンセグメント放送手段とを接続し、前記第２コンテンツを前記同報無線親局から前記ワンセグメント放送手段に中継する第２ネットワークと、
前記同報無線親局に設けられ、前記第２ネットワークの状態を検査する第２検査手段と、を備え、
前記同報無線親局は、前記第２検査手段による検査結果に基づいて、前記第２ネットワークの状態を異常と判断した場合は、前記同報無線を介して、前記第２コンテンツを配信することを特徴とする請求項４に記載のコンテンツ配信システム。
【請求項６】
前記屋外子局は、前記ワンセグメント放送手段との接続状態を検査する第３検査手段を備え、
前記同報無線親局は、
検査用制御コマンドを前記屋外子局に送信して、前記第３検査手段による検査結果を入手し、
前記第２検査手段による検査結果に基づいて、前記第２ネットワークの状態を正常と判断し、かつ前記第３検査手段による検査結果に基づいて、前記接続状態を正常と判断した場合は、前記屋外子局を経由して前記切り替えコマンドを前記ワンセグメント放送手段に送信し、前記第２ネットワークを経由して前記第２コンテンツを前記ワンセグメント放送手段に配信することを特徴とする請求項５に記載のコンテンツ配信システム。
【請求項７】
前記記憶手段には、予め記憶していた前記第３コンテンツに加えて、前記ワンセグメント放送手段に配信された前記第１コンテンツと前記第２コンテンツとが追加して記憶され、
前記ワンセグメント放送手段は、前記同報無線親局によって送信された前記切り替えコマンドに基づいて、前記記憶手段に予め記憶していた前記第３コンテンツまたは前記記憶手段に追加して記憶した前記第１コンテンツもしくは前記第２コンテンツのうちから選択されたコンテンツを放送することを特徴とする請求項２、請求項４ないし請求項６のいずれか１項に記載のコンテンツ配信システム。
【請求項８】
前記同報無線親局は、前記ワンセグメント放送手段に対して、ファイル更新コマンドを送信することで、前記記憶手段に格納された前記第１コンテンツ、前記第２コンテンツ、前記第３コンテンツの少なくとも１つについて、その内容を更新することを特徴とする請求項７に記載のコンテンツ配信システム。
【請求項９】
特定の地域に対してワンセグメント放送を行うワンセグメント放送装置であって、
ＩＰ網を介して第１コンテンツを受信する第１受信手段と、
同報無線親局からの同報無線を受信する屋外子局を経由して、第２コンテンツと、放送されるコンテンツを切り替える切り替えコマンドとを受信する第２受信手段と、
前記切り替えコマンドに基づいて、前記第１コンテンツと前記第２コンテンツとを切り替えて放送することを特徴とするワンセグメント放送装置。
【請求項１０】
第３コンテンツを予め記憶した記憶手段と、
前記ＩＰ網の通信状態を検査する第１検査手段と、
前記屋外子局との間の通信状態を検査する第４検査手段と、を備え、
前記第１検査手段および第４検査手段の検査結果が、いずれも異常であると検出された場合、前記記憶手段に予め記憶された前記第３コンテンツを放送することを特徴とする請求項９に記載のワンセグメント放送装置。
【請求項１１】
前記第３コンテンツを、それぞれ種類の異なる災害に関連する複数のコンテンツで構成したことを特徴とする請求項１０記載のワンセグメント放送装置。
【請求項１２】
前記屋外子局と前記ワンセグメント放送手段との接続を、ＲＳ４２２プロトコルを用いたシリアル回線で構成したことを特徴とする請求項１、請求項２ないし請求項４、請求項６のいずれか１項に記載のコンテンツ配信システム。
【発明の詳細な説明】
【技術分野】
【０００１】
本発明は、災害発生時等の緊急時に、災害等に関連した映像や音声といったコンテンツをワンセグメント放送によって住人に提供する、コンテンツ配信システムおよびワンセグメント放送装置に関するものである。
【背景技術】
【０００２】
災害に関する情報を住民に報知するシステムとして、防災無線システムが知られている。防災無線システムは、市庁舎等、地方自治体の建屋に設けられ無線通信機を備える同報無線親局と、この市庁舎等の管轄エリア内の地域毎に設けられ無線受信機を備える屋外子局と、この屋外子局の近傍に設けられたトランペットスピーカとで構成されている。そして、火災や地震等が発生した時は、災害の発生を知らせる告知放送を無線送信機によって送信し、これを無線受信機で受信して、トランペットスピーカによって地域ごとに告知放送を流す。
【０００３】
近年、いわゆるワンセグメント放送（以降、「ワンセグ放送」と呼称する）を特定の地域に対して限定的に行い（以降、この態様のワンセグ放送を、「エリアワンセグ放送」と呼称する）、防災に活用する動きが活発化している。
【０００４】
これまでも、防災行政無線設備の導入が全国自治体にて行われており、かなりの普及が進んでいる。しかしながら、トランペットスピーカといった拡声手段では、家屋や商業施設等の中にいる人々への災害情報の伝達が確実に行なうことができない等、限界があった。これを根本的に解決するには、個々人に防災情報を伝達する機器を配布しなければならず、莫大な費用を要する。そこで、広く普及が進んでいる携帯電話のワンセグ放送を利用することで、安価に確実な情報伝達手段を構築することが模索されている。また、ワンセグ放送は音声だけでなく文字や映像も同時に発信できることから、バリアフリーでメッセージが伝わりやすいというメリットもある。
【０００５】
特許文献１には、エリアワンセグ放送が可能なミニＴＶ放送局に、ネットワークに接続されたサーバ装置を設け、外部からネットワークを経由して送信された防災情報を含む画像や音声コンテンツをサーバ装置に蓄えるとともに、これらの受信した情報や予めメモリに記憶しておいた情報等をミニＴＶ放送局からエリアワンセグ放送する技術が開示されている。
【０００６】
特許文献２には、同報無線の親局装置から無線伝送路を経由して、子局装置に災害時に使用する基本コンテンツを送信し、これを子局装置においてコンテンツデータベースとして蓄えておき、災害などが発生した場合、親局装置がコンテンツデータベースの特定のコンテンツを示すポインタ情報および基本コンテンツを補完する補完情報を含むコマンドを発行する技術が開示されている。
【０００７】
特許文献３には、災害時にセンター装置から通信回線の伝送経路を介して住民に災害情報を報知するとともに、防災無線親局から告知放送信号が送信されており、かつ通信回線の伝送経路において搬送信号が検出されない場合は、伝送経路に異常があったと判断して、防災無線によって送信された信号を受信して、これを通信回線の伝送経路を経由して送信する技術が開示されている。
【先行技術文献】
【特許文献】
【０００８】
【特許文献１】特許第４４４７５００号公報
【特許文献２】特開２０１１−２２３４５６号公報
【特許文献３】特許第４７１２５６８号公報
【発明の概要】
【発明が解決しようとする課題】
【０００９】
特許文献１では、外部から受信した災害情報が緊急性を有するような場合、ミニＴＶ放送局は当該災害情報を優先的にブロードキャストで放送する、あるいは地方自治体などにより、エリアワンセグ放送を一時的にスチール（停止）して、災害に関する防災情報をミニＴＶ放送局から放送するとしている。
【００１０】
災害には一過性のものもあるが、一般に大きな災害では状況が刻々と変わっていく。しかしながら、特許文献１には、このような災害発生後の状況変化に柔軟に対応する構成について何らの示唆もない。更に、特許文献１の構成では、大規模災害等によってネットワークが機能しなくなった場合、新たなコンテンツを放送できない、といった課題がある。
【００１１】
また、特許文献２では、コンテンツを「基本コンテンツとこれを補完する補完情報」とで構成することで、データ転送速度が低速な同報無線を用いても、即時性を損なうことなく大容量のコンテンツをワンセグ放送できるとしている。
【００１２】
しかしながら特許文献１と同様、特許文献２には災害発生後の状況変化に柔軟に対応する構成について何らの示唆もなく、また、基本コンテンツと補完情報とで表現しきれないコンテンツ（例えば未知の災害に対するコンテンツ）を放送することはできない。
【００１３】
また、特許文献２の構成では、コンテンツは常に防災無線を経由して配信されており、災害時に新規なコンテンツをリアルタイムに提供することは困難である。更に、コンテンツデータベースは子局装置に設けられているが、この構成では既存の防災システムを流用できずに新たな投資が必要という課題もある。
【００１４】
また、特許文献３の構成は、有線放送の回線に異常があったときに防災無線のコンテンツを送信可能としており、フェールセーフの観点では有用ではあるものの、特許文献１と同様に、災害発生後の状況変化に柔軟に対応する構成について何らの示唆もない。
【００１５】
本発明は、このような従来技術の課題を解決するべく案出されたものであり、その主な目的は、災害発生後に被災者を取り巻く状況変化に柔軟に対応することができ、被災者に有用なコンテンツを高速、かつ確実に提供することが可能な、コンテンツ配信システム、ワンセグメント放送装置を提供することにある。
【課題を解決するための手段】
【００１６】
本発明のコンテンツ配信システムは、特定の地域に対してワンセグメント放送を行うワンセグメント放送手段と、ＩＰ網を介して、前記ワンセグメント放送手段に対して第１コンテンツを配信する送出設備と、同報無線を介して、第２コンテンツの配信、および放送されるコンテンツを切り替える切り替えコマンドの送信を行う同報無線親局と、前記同報無線親局から前記第２コンテンツと前記切り替えコマンドとを受信して前記ワンセグメント放送手段に中継する屋外子局と、を備え、前記同報無線親局は、前記屋外子局を経由して、前記ワンセグメント放送手段に対して前記第２コンテンツの配信と前記切り替えコマンドの送信とを行い、前記ワンセグメント放送手段は、前記切り替えコマンドに基づいて、前記第１コンテンツと前記第２コンテンツとを切り替えて放送するように構成したものである。
【発明の効果】
【００１７】
本発明によれば、災害などの緊急時において、同報無線を経由して情報としての独立性が高い第２コンテンツをワンセグメント放送手段に配信し、これをワンセグメント放送手段から放送することで、未知の災害等が発生した場合であっても、災害発生後の状況変化に柔軟に対応するエリアワンセグメント放送を行うことが可能となる。
【図面の簡単な説明】
【００１８】
【図１】本発明の第１実施形態に係るコンテンツ配信システムの概略を示すブロック構成図
【図２】本発明の第１実施形態に係るコンテンツ配信システムにおいて、同報無線親局、屋外子局、ワンセグ放送装置の構成を示すブロック構成図
【図３】本発明の第１実施形態に係るコンテンツ配信システムにおいて、音声通報の過程を示す説明図
【図４】本発明の第１実施形態に係るコンテンツ配信システムにおいて、ファイル転送の過程を示す説明図
【図５】本発明の第１実施形態に係るコンテンツ配信システムにおいて、ファイル再生の過程を示す説明図
【図６】（ａ），（ｂ）は、ワンセグ放送装置において、放送するコンテンツを切り替える態様について説明する説明図
【図７】本発明の第１実施形態に係るコンテンツ配信システムにおいて、システムの検査過程を示す説明図
【図８】（ａ），（ｂ）は、本発明の第２実施形態に係るコンテンツ配信システムにおいて、コンテンツ切り替えの具体例を示す説明図
【図９】（ａ），（ｂ）は、本発明の第２実施形態に係るコンテンツ配信システムにおいて、コンテンツ切り替えの変形例を示す説明図
【発明を実施するための形態】
【００１９】
本発明は、特定の地域に対してワンセグメント放送を行うワンセグメント放送手段と、ＩＰ網を介して、前記ワンセグメント放送手段に対して第１コンテンツを配信する送出設備と、同報無線を介して、第２コンテンツの配信、および放送されるコンテンツを切り替える切り替えコマンドの送信を行う同報無線親局と、前記同報無線親局から前記第２コンテンツと前記切り替えコマンドとを受信して前記ワンセグメント放送手段に中継する屋外子局と、を備え、前記同報無線親局は、前記屋外子局を経由して、前記ワンセグメント放送手段に対して前記第２コンテンツの配信と前記切り替えコマンドの送信とを行い、前記ワンセグメント放送手段は、前記切り替えコマンドに基づいて、前記第１コンテンツと前記第２コンテンツとを切り替えて放送するように構成したコンテンツ配信システムである。
【００２０】
これによって、災害などの緊急時において、同報無線を経由して情報としての独立性が高い第２コンテンツをワンセグメント放送手段に配信し、これをワンセグメント放送手段から放送することで、未知の災害等が発生した場合であっても、災害発生後の状況変化に柔軟に対応するエリアワンセグメント放送を行うことが可能となる。
【００２１】
また、本発明は、前記ワンセグメント放送手段は、第３コンテンツを予め記憶した記憶手段を備え、前記屋外子局を経由して受信した前記切り替えコマンドに基づいて、前記第２コンテンツと前記第３コンテンツとを切り替えて放送するようにしたものである。
【００２２】
これによって、比較的容量が大きい第３コンテンツを予め記憶しておいて、緊急性は高いが容量が小さい第２コンテンツと交互に繰り返し放送することができ、住人をより安全に避難場所等に導く等することが可能となる。
【００２３】
また、本発明は、特定の地域に対してワンセグメント放送を行うワンセグメント放送手段と、ＩＰ網を介して、前記ワンセグメント放送手段に対して第１コンテンツを配信する送出設備と、同報無線を介して、前記ワンセグメント放送手段によって放送されるコンテンツを切り替える切り替えコマンドを送信する同報無線親局と、前記同報無線親局から前記切り替えコマンドを受信して前記ワンセグメント放送手段に中継する屋外子局と、を備え、前記ワンセグメント放送手段は、第３コンテンツを予め記憶した記憶手段を有し、前記送出設備は、前記同報無線親局に対して所定の情報を送信する情報送信手段を有し、前記同報無線親局は、前記情報送信手段から送信された所定の情報に基づいて、前記切り替えコマンドを送信し、前記ワンセグメント放送手段は、前記屋外子局を経由して受信した前記切り替えコマンドに基づいて、前記第１コンテンツと前記第３コンテンツとを切り替えて放送するように構成したコンテンツ配信システムである。
【００２４】
これによって、情報送信手段は同報無線親局に対して、例えば送出設備が緊急時に配信する第１コンテンツの内容を通知し、これに応じて同報無線親局は適切な第３コンテンツを選定し、ワンセグメント放送手段はこれらを切り替えて放送することから、緊急時において、住人により有用な情報をタイムリーに提供することが可能となる。
【００２５】
また、本発明は、前記送出設備と前記ワンセグメント放送手段とを接続し、前記第１コンテンツを前記送出設備から前記ワンセグメント放送手段に中継する第１ネットワークと、前記ワンセグメント放送手段に設けられ、前記第１ネットワークの状態を検査する第１検査手段と、を備え、前記同報無線親局は、前記第１検査手段に対して検査用制御コマンドを送信して、前記第１検査手段による検査結果を入手し、前記第１検査手段による検査結果に基づいて、前記第１ネットワークの状態を異常と判断した場合は、前記同報無線を介して、第２コンテンツの配信、および前記切り替えコマンドの送信を行い、前記ワンセグメント放送手段は、前記屋外子局を経由して受信した前記切り替えコマンドに基づいて、前記第２コンテンツと前記第３コンテンツとを切り替えて放送するよう構成したものである。
【００２６】
これによって、送出設備からワンセグメント放送手段に対して第１コンテンツを配信する第１ネットワークが切断された場合であっても、緊急時のエリアワンセグ放送を継続することが可能となる。
【００２７】
また、本発明は、前記同報無線親局と前記ワンセグメント放送手段とを接続し、前記第２コンテンツを前記同報無線親局から前記ワンセグメント放送手段に中継する第２ネットワークと、前記同報無線親局に設けられ、前記第２ネットワークの状態を検査する第２検査手段と、を備え、前記同報無線親局は、前記第２検査手段による検査結果に基づいて、前記第２ネットワークの状態を異常と判断した場合は、前記同報無線を介して、前記第２コンテンツを配信するように構成したものである。
【００２８】
これによって、同報無線親局からワンセグメント放送手段に対して第２コンテンツを配信する第２ネットワークが正常に機能している場合は、第２ネットワークを経由して、高速に第２コンテンツを配信するとともに、第２ネットワークが切断等された場合であっても、同報無線を経由して、低速ではあるが確実に第２コンテンツを配信することができ、高い信頼性を確保することができる。
【００２９】
また、本発明は、前記屋外子局は、前記ワンセグメント放送手段との接続状態を検査する第３検査手段を備え、前記同報無線親局は、検査用制御コマンドを前記屋外子局に送信して、前記第３検査手段による検査結果を入手し、前記第２検査手段による検査結果に基づいて、前記第２ネットワークの状態を正常と判断し、かつ前記第３検査手段による検査結果に基づいて、前記接続状態を正常と判断した場合は、前記屋外子局を経由して前記切り替えコマンドを前記ワンセグメント放送手段に送信し、前記第２ネットワークを経由して前記第２コンテンツを前記ワンセグメント放送手段に配信するように構成したものである。
【００３０】
これによって、第２ネットワークと通信回線のいずれもが正常に機能する場合、同報無線親局は、第２ネットワークを経由して第２コンテンツを配信する一方、切り替えコマンド（制御コマンド）については、同報無線と通信回線とを経由して送信することで、第２コンテンツを高速に配信しつつ、切り替えコマンドを高い信頼度で送信することが可能となる。
【００３１】
また、本発明は、前記記憶手段には、予め記憶していた前記第３コンテンツに加えて、前記ワンセグメント放送手段に配信された前記第１コンテンツと前記第２コンテンツとが追加して記憶され、前記ワンセグメント放送手段は、前記同報無線親局によって送信された前記切り替えコマンドに基づいて、前記記憶手段に予め記憶していた前記第３コンテンツまたは前記記憶手段に追加して記憶した前記第１コンテンツもしくは前記第２コンテンツのうちから選択されたコンテンツを放送するように構成したものである。
【００３２】
これによって、一旦ワンセグメント放送手段に配信されたコンテンツを、再送することなく、様々なコンテンツを切り替えて放送することが可能となる。
【００３３】
また、本発明は、前記同報無線親局は、前記ワンセグメント放送手段に対して、ファイル更新コマンドを送信することで、前記記憶手段に格納された前記第１コンテンツ、前記第２コンテンツ、前記第３コンテンツの少なくとも１つについて、その内容を更新するものである。
【００３４】
これによって、ワンセグメント放送手段の記憶手段に常に最新のコンテンツを格納しておくことが可能となる。
【００３５】
また、本発明は、特定の地域に対してワンセグメント放送を行うワンセグメント放送装置であって、ＩＰ網を介して第１コンテンツを受信する第１受信手段と、同報無線親局からの同報無線を受信する屋外子局を経由して、第２コンテンツと、放送されるコンテンツを切り替える切り替えコマンドとを受信する第２受信手段と、前記切り替えコマンドに基づいて、前記第１コンテンツと前記第２コンテンツとを切り替えて放送するよう構成されたワンセグメント放送装置である。
【００３６】
これによって、災害などの緊急時において、同報無線を経由して情報としての独立性が高い第２コンテンツをワンセグメント放送手段に配信し、これをワンセグメント放送手段から放送することで、未知の災害等が発生した場合であっても、災害発生後の状況変化に柔軟に対応するエリアワンセグメント放送を行うことが可能となる。
【００３７】
また、本発明は、第３コンテンツを予め記憶した記憶手段と、前記ＩＰ網の通信状態を検査する第１検査手段と、前記屋外子局との間の通信状態を検査する第４検査手段と、を備え、前記第１検査手段および第４検査手段の検査結果が、いずれも異常であると検出された場合、前記記憶手段に予め記憶された前記第３コンテンツを放送するように構成したものである。
【００３８】
これによって、例えば緊急時において、ワンセグメント放送装置に外部からコンテンツの配信が一切行われない状況となっても、ワンセグ放送を継続することが可能となる。
【００３９】
また、本発明は、前記第３コンテンツを、それぞれ種類の異なる災害に関連する複数のコンテンツで構成したものである。
【００４０】
これによって、災害等の状況が不明であっても、ワンセグメント放送装置は住人に有用なコンテンツを提供することができる。
【００４１】
また、本発明は、前記屋外子局と前記ワンセグメント放送手段との接続を、ＲＳ４２２プロトコルを用いたシリアル回線で構成したものである。
【００４２】
これによって、屋外子局とワンセグメント放送手段との間で、第２コンテンツを高い信頼度で送信することが可能となる。
【００４３】
（第１実施形態）
以降、本発明に係る第１実施形態の詳細な説明に先立ち、まず地上デジタル放送の１つであるワンセグメント放送について概略を説明する。
【００４４】
地上デジタル放送では、１個のチャンネルの周波数帯域が６ＭＨｚとされ、４７０ＭＨｚから７７０ＭＨｚまでの範囲で、第１３チャンネルから第６２チャンネルまでの５０個のチャンネルが設けられている。１個のチャンネルは１３個のセグメント（１３個の周波数帯）に分割され、そのうちの１個のセグメントが携帯電話やＰＤＡ（Personal Digital Assistant）などのモバイル端末用の地上デジタル放送に割り当てられる。そして残りの１２個のセグメントを使用してテレビなどのデータが送信される。
【００４５】
このように１つのセグメントを用いることから、このような地上デジタル放送は正式には「携帯電話・移動体端末向けの１セグメント部分受信サービス」、略して「１セグメント放送」、「ワンセグ放送」等と呼ばれている（以降の説明では、「ワンセグ放送」と呼称する）。
【００４６】
ワンセグ放送では携帯性やモバイル性を重視し、画面を小さく（ＱＶＧＡ（Quarter Video Graphics Array））、性能を低く（伝送速度は、４１５Ｋｂｐｓ程度）して放送が行われている。
【００４７】
近年、平常時にはイベント会場の情報や地域情報（公共情報、地域刊行情報）等の提供を、他方、緊急時には災害情報や避難情報等、ＩＰカメラで撮影した映像（火災や津波など）の提供を、特定の地域に対してワンセグ放送する試みが増加している（以降、このようなワンセグ放送を、「エリアワンセグ放送」と呼称する）。
【００４８】
エリアワンセグ放送では、コンテンツを多重化して伝送するためにＨ．２６４規格が用いられる。当該規格によって符号化された画像・音声信号のそれぞれはエレメンタリストリーム（ＥＳ：Elementary Stream）と呼称される。利用可能なファイル形式として、画像ＥＳでは、Ｈ．２６４の他にＭＰＥＧ−２、ＭＰＥＧ−１、ＭＰＥＧ−４、ＪＰＥＧ等があり、音声ＥＳでは、ＭＰ１、ＭＰ２等がある。
【００４９】
そして、画像ＥＳまたは音声ＥＳを適当な大きさに分割してパケット化したものをＰＥＳ（Packetized Elementary Stream）と呼ぶ。そして、ＰＥＳを多重化し伝送・蓄積する形式の用途別にプログラムストリーム（ＰＳ：Program Stream）およびトランスポートストリーム（ＴＳ：Transport Stream）の２種類が定義されている。
【００５０】
ＴＳは再生時の中断から回復できるため、ノイズやネットワークの混雑によって中断が生じやすいブロードキャストやストリーミングアプリケーションに理想的とされている。一方、ＰＳはエラーのない配信方法が必要であり、主にストレージやコンピュータ内の処理で使用される。以降の説明では、コンテンツの配信にＴＳを用いるものとするが、ＰＳを用いても構わない。
【００５１】
また、ＴＳファイルには映像信号と音声信号とが多重化される。もちろんこれらのうち音声信号（オーディオ）を含まないＴＳファイルも存在するが、以降の説明ではＴＳファイルというときは、映像信号および音声信号の両方が含まれるものとする。また、以降の説明で「コンテンツ」と称するときは、ＴＳファイルのみならずＴＳストリームやＰＳをも含みうるものとする。
即ち、「コンテンツ」とは、提供される情報の単位をいい、映像であれば映像コンテンツ、音声であれば音声コンテンツのように呼称される。更に、目的によっては「映像と音声」が混在するコンテンツも存在する。
【００５２】
図１は、本発明の第１実施形態に係るコンテンツ配信システム１の概略を示すブロック構成図である。以降、コンテンツ配信システム１の概要、主に平常時にコンテンツの生成および配信を行う送出設備３について説明する。
【００５３】
図１に示すように、コンテンツ配信システム１は、いわゆる防災システムとしての同報無線システム２と、いわゆる配信業者がＴＳストリーミング等を配信するスタジオ等の送出設備３と、ＩＰカメラ４と、コンテンツの送出を制御する送出コントローラ５と、エリアワンセグメント放送を行うワンセグメント放送装置（ワンセグメント放送手段と同義、以降「ワンセグ放送装置」と呼称する）６とネットワーク７を有機的に結合したシステムである。ここでネットワーク７とは、いわゆるＩＰ網を含み、具体的には例えばＬＡＮ（Local Area Network）やＷＡＮ（Wide Area Network）を指すが、一般的な公衆回線のみならず、いわゆる専用回線であってもよい。
【００５４】
本発明は、同報無線システム２と、ワンセグ放送装置６を組み合わせることで、大地震などによりＬＡＮなどの有線系ネットワークが寸断された状態であっても、無線系である同報無線による情報伝送路を確保しつつ、個々に電源を持ち、停電時でも使用できる携帯電話に対して、ワンセグ放送によって情報提供を行う。
【００５５】
図１において、実線の矢印は配信されるコンテンツのパスを示し、点線の矢印は送信される制御コマンドのパスを表しており、いずれも矢印方向にコンテンツまたは制御コマンドが送信される。なお、点線の両矢印は、双方向に制御コマンドがやりとりされる場合のほか、制御コマンドに対して応答（回答）がなされる場合も含まれる（図２についても同じ）。
【００５６】
平常時においては、送出設備３でコンテンツが生成され、ネットワーク７を経由してワンセグ放送装置６に配信される。ワンセグ放送装置６は受信したコンテンツを放送する。この放送は例えば携帯電話等のワンセグメント受信機８で受信され、ユーザは受信したコンテンツを視聴する。
【００５７】
以降、送出設備３の構成について説明する。
送出設備３は、地上デジタル放送を行うワンセグ放送装置６で放送に供されるコンテンツの送出および管理を行うものである。送出設備３を構成する要素のうち、エンコーダ１０、字幕生成部１１、データ放送生成部１２、ＲｅＭＵＸ部１３、ＩＰ送出部１４は、主に映像と音声信号とをダウンロードしながら同時に再生するいわゆるＴＳストリーミングの生成と配信とに関与し、ＣＭＳ（コンテンツマスタシステム）１５はＴＳファイル１５ａの生成と配信とに関与する。
【００５８】
エンコーダ１０は、入力された映像信号をリアルタイムでＨ．２６４形式に符号化し、音声信号をＡＡＣ−ＬＣ形式に符号化する。そして、これらの映像・音声信号を多重化した映像・音声ＴＳを生成し送出する。字幕生成部１１は、入力された字幕データを元に、字幕ＴＳを生成し送出する。データ放送生成部１２は、データ放送を構成するモジュールからデータ放送のＴＳ（データＴＳ）を生成し送出する。
【００５９】
そして、エンコーダ１０で生成された映像・音声ＴＳ、字幕生成部１１で生成された字幕ＴＳ、データ放送生成部１２で生成されたデータＴＳはＲｅＭＵＸ（リマックス）部１３に入力される。ＲｅＭＵＸ部１３では、送信するコンテンツを選択して組み合わせ、これらを再多重化（Re-Multiplexer）して、１つのＴＳとする。再多重化されたＴＳは、ＩＰ送出部１４でＴＣＰ／ＩＰに従ってTS over IPストリームに変換され、ネットワーク７に送出される。
【００６０】
一方、ＣＭＳ１５は、ワンセグ放送装置６でデータ放送に使用するＴＳファイル１５ａの生成と更新とを行う。送出コントローラ５は、ワンセグ放送装置６に対して制御コマンドを送出し、ＴＳストリーミングおよびＴＳファイル１５ａは、ワンセグ放送装置６に配信された後に、蓄積され、または更新され、または放送される。
【００６１】
次に、同報無線システム２の構成について概要を説明する。緊急時において、同報無線システム２によってもコンテンツが作成、配信される。同報無線システム２は、同報無線親局２５と屋外子局２６とで構成される。同報無線親局２５は、通常、自治体役場等の防災設備（非常時においては、例えば災害対策本部）に設置される防災情報設備である。屋外子局２６は、一般に自治体の各所に複数設置されている。
【００６２】
屋外子局２６は、同報無線親局２５から無線送信された音声信号に基づきトランペットスピーカ２９から音声を流すとともに、データ信号として受信したコンテンツをワンセグ放送装置６に中継する。そして、ワンセグ放送装置６は受信したコンテンツを、ＵＨＦ送信アンテナ６ａを介してエリアワンセグ放送を行い、ワンセグメント受信機８はこの放送をアンテナ８ａで受信し、図示しないディスプレイ等に表示する。
【００６３】
ネットワーク７には更にＩＰカメラ４が接続されており、ＩＰカメラ４は、撮影した映像をワンセグ放送装置６で送出可能なTS over IPストリームとして送出する。上述のように同報無線親局２５はネットワーク７に接続されており、同報無線親局２５では操作卓２７（図２参照）を操作することによって、ＩＰカメラ４に制御コマンドを送信し、パン、チルト、ズーム等を行わせて、ＩＰカメラ４から所望の映像を得ることができる。
【００６４】
図２は、本発明の第１実施形態に係るコンテンツ配信システム１において、同報無線親局２５、屋外子局２６、ワンセグ放送装置６の構成を示すブロック構成図である。図２では、図１に示すＩＰカメラ４と送出コントローラ５とを省略している。なお、図２では送出設備３とワンセグ放送装置６との間を第１ネットワーク７ａで、同報無線親局２５とワンセグ放送装置６との間を第２ネットワーク７ｂで接続しているが、図１に示すように、これらを単一のネットワーク７で構成しても構わない（この場合、第１ネットワーク７ａと第２ネットワーク７ｂの違いは、ルーティングの違いと考えてもよい）。以降、図２を用いて、主に同報無線親局２５、屋外子局２６、ワンセグ放送装置６の構成について説明する。
【００６５】
まず、同報無線親局２５について説明する。同報無線親局２５は同報無線システム２を操作するための操作卓２７および第２検査手段２５ｋを備える。操作卓２７は、通常、コンピュータやサーバを含み、音声信号の符号化や、コンテンツとしてのＴＳファイル１５ａを生成することが可能である（もちろん、送出設備３と同程度の機能、性能を備えＴＳストリーミングを生成・配信可能としてもよい）。使用者は操作卓２７を操作することで、同報無線親局２５から屋外子局２６に対して、無線を用いて符号化された音声信号の送信、ＴＳファイル１５ａの配信、制御コマンドの送信および当該コマンドに対する応答の受信等を行う。また、操作卓２７を構成するコンピュータ等においては所定のプログラムが動作し、以降説明する様々な機能を具現化する。また、第２検査手段２５ｋは第２ネットワーク７ｂの状態を検査する。
【００６６】
次に、同報無線親局２５が送信する制御コマンドについて説明する。第１実施形態の同報無線親局２５が送信する制御コマンドは、音声通報制御コマンド、ファイル転送制御コマンド、ファイル再生制御コマンド、検査用制御コマンド（これらを、まとめて制御コマンドと呼称することがある）の４つが設定されている。もちろん、これ以外の制御コマンドを備えていてもよい。
【００６７】
制御コマンドは所定長のバイト列で構成され、例えば、第１バイト目が制御コマンドなのかデータなのかを示す。２バイト目が制御コマンドの種類またはデータの転送長を示す。そして、３バイト目がオプションの有無を示し、４バイト目がオプションの種類を示すように構成されている。
【００６８】
ここで、音声通報制御コマンドは、トランペットスピーカ２９から通報する音声信号を配信するためのコマンドである。
【００６９】
また、ファイル転送制御コマンドは、同報無線親局２５で生成したＴＳファイル１５ａ等のコンテンツを同報無線３４と通信回線３５とを用いて（即ち屋外子局２６を経由して）ワンセグ放送装置６に配信するためのコマンドである。なお、通信回線３５は、後に説明するように有線のシリアル回線が採用されている。
【００７０】
また、ファイル再生制御コマンドは、放送するコンテンツを切り替えるコマンドであり、ワンセグ放送装置６の記憶部（記憶手段）６ｄに予め記憶されているコンテンツ（後に追加して記憶されたコンテンツも含む）を選択して放送する際にも使用される。
【００７１】
また、検査用制御コマンドは、ワンセグ放送装置６または屋外子局２６に対して送信される。ワンセグ放送装置６に対して送信される検査用制御コマンドは、第１ネットワーク７ａおよび通信回線３５の検査と結果返送とを要求するものである。また屋外子局２６に対して送信される検査用制御コマンドは、通信回線３５の検査と結果返送とを要求するものである。
【００７２】
なお、これらの制御コマンドは同報無線親局２５から同報無線３４を経由して、屋外子局２６に送信され、一部（音声通報制御コマンドおよび屋外子局２６に対して送信される検査用制御コマンド）を除き屋外子局２６から通信回線３５を経由してワンセグ放送装置６に送信される。
【００７３】
同報無線親局２５は、一般に堅牢な建物の中に設置され、非常用電源を備える等、極めて高い信頼性を有する。更に同報無線親局２５を構成する操作卓２７等の設備や同報無線３４、通信回線３５は、高品質・高信頼性の部品を使用する等いわゆるフォールトアボイダンスの思想、またはシステムの冗長性を大きくして全機能を停止することなく動作し続けるフォールトトレラントの思想に基づき設計されており、例えばインターネットを含むネットワーク７と比較して極めて高い信頼性を有する。
【００７４】
同報無線３４のデータ転送速度は９６００ｂｐｓ程度と低速であるが、制御コマンドは高々数十バイトしかないため、ＬＡＮを経由した場合の速度と大差ない。よって、制御コマンドのような低容量データであれば、通信速度の低速性は殆ど問題にならず、もっぱら高信頼性というメリットが発揮される。このような背景から、第１実施形態では、制御コマンドの送信に関しては、常に同報無線３４と通信回線３５とを経由することとしている。
【００７５】
なお、後に説明するように、これらの制御コマンドはオプションで拡張コマンドを取り扱うことが可能であり、コマンドレベルの拡張性が担保されている。また、上述した各制御コマンドを用いた制御シーケンスについては後に説明する。
【００７６】
次に、屋外子局２６について説明する。屋外子局２６は、比較的高所に設置され周辺の地域住民に通報内容を拡声するトランペットスピーカ２９と、アンテナ２６ａと、無線機２６ｒと、制御部２６ｃと、拡声器用アンプ２６ｄと、大容量の電池で構成され各構成要素に電力を供給する緊急用のバックアップ電源２６ｅ、通信回線３５の状態を検査する第３検査手段２６ｋと、これらの構成要素間で電源パスを構成し、またデータ等をやりとりするバス２６ｂとを備える。
【００７７】
同報無線親局２５と屋外子局２６とは、６０ＭＨｚ帯無線の無線回線（同報無線３４）で結ばれている。アンテナ２６ａは送受信アンテナであり、無線機２６ｒは、アンテナ２６ａで同報無線親局２５から送信されたデジタル音声信号やＴＳファイル１５ａや制御コマンドを受信する。一方、制御コマンドに対する応答は、屋外子局２６から同報無線親局２５の向きに送信される。従って、同報無線親局２５が備えるアンテナ２５ａも送受信アンテナである。これによって、屋外子局２６は同報無線３４を経由して、例えばＴＳファイル１５ａを同報無線親局２５に送信することができる。
【００７８】
屋外子局２６において、無線機２６ｒと拡声器用アンプ２６ｄとバックアップ電源２６ｅとは、バス２６ｂを介して制御部２６ｃと接続されており、制御部２６ｃはこれらの動作を制御する。その一例として、制御部２６ｃは、図示しない電圧計測手段が商用電源の停電を検出すると、直ちにバックアップ電源２６ｅに切り替えて、屋外子局２６の機能が停止するのを防止する。また、制御部２６ｃは、無線機２６ｒで受信したＴＳファイル１５ａおよび制御コマンドをワンセグ放送装置６に中継する。
【００７９】
無線機２６ｒは所定のプログラムに従って動作するＤＳＰ（Digital Signal Processor）等を含む演算装置を備えており、同報無線親局２５との間でいわゆる呼制御や呼接続のシーケンスが実行される。そして無線機２６ｒは受信した制御コマンドの一部を解釈し、解釈した制御コマンドはバス２６ｂを通じて制御部２６ｃに送られる。
【００８０】
制御部２６ｃは、入手した制御コマンドが例えば「トランペットスピーカ２９から音声通報せよ」という音声通報制御コマンドであった場合、バス２６ｂを通じて拡声器用アンプ２６ｄを起動する。そして、無線機２６ｒはデジタル音声信号をデコードしてアナログ音声信号に変換してトランペットスピーカ２９から音を流す。
【００８１】
一般に、トランペットスピーカ２９を備える屋外子局２６と、エリアワンセグ放送を行うワンセグ放送装置６とは近接して建設されている。トランペットスピーカ２９による音声通報およびワンセグ放送装置６によるデータ放送等を連動させることで、例えばトランペットスピーカ２９によって、住人に対して「災害に関する情報がエリアワンセグ放送されている」旨を報知することができる。
【００８２】
より詳細には、コンテンツ配信システム１は、トランペットスピーカ２９を備える屋外子局２６に対して、同報無線３４を経由して音声信号を送信する同報無線親局２５を含み、この同報無線親局２５は、緊急時において、屋外子局２６を中継して（即ち、同報無線３４と通信回線３５を経由して）ワンセグ放送装置６に第２コンテンツを配信し、ワンセグ放送装置６にワンセグ放送を実行させる。つまり、同報無線親局２５は、緊急時に音声による報知と、ワンセグ放送を連動して行う。更にこのとき、住人に対しては、トランペットスピーカ２９から緊急時である旨、およびワンセグ放送装置６が放送するワンセグ放送を視聴するように誘導する。これによって、緊急時の避難誘導をより的確に行うことが可能となる。
【００８３】
次に、ワンセグ放送装置６について説明する。ワンセグ放送装置６は上述したように、特定の地域に対していわゆるエリアワンセグメント放送を行う。ワンセグ放送装置６は、ＵＨＦ帯無線３６を用いて送信を行うＵＨＦ送信アンテナ６ａと、ワンセグ放送装置６の全体を制御するとともに、送出設備３から配信されたＴＳストリーミング等を編集・合成するＣＰＵ部６ｃと、合成後のコンテンツをＵＨＦ帯域の信号に変調するＲＦ部６ｒと、大容量の電池で構成された緊急用のバックアップ電源６ｅと、記憶部６ｄと、第１ネットワーク７ａの状態を検査する第１検査手段６ｋと、通信回線３５の状態を検査する第４検査手段６ｍとを備える。そして、ＣＰＵ部６ｃとＲＦ部６ｒとバックアップ電源６ｅと記憶部６ｄとは、バス６ｂで接続されている。
【００８４】
平常時において送出設備３は、ＣＡＴＶの番組や行政的な地域密着型のコンテンツを２４時間配信しており、ワンセグ放送装置６は、送出設備３から配信されるＴＳストリーミングやＴＳファイル１５ａ（以降、第１コンテンツと呼称する）を、第１ネットワーク７ａを経由して受信する。これらの第１コンテンツは、ＣＰＵ部６ｃで解析され、ＲＦ部６ｒにてＵＨＦ信号に変換された後、ＵＨＦ送信アンテナ６ａからＵＨＦ帯無線３６で放送される。なお、第１コンテンツは平常時のみならず、緊急時にも放送されることがあり、緊急時においては災害等の情報を含むことがある。
【００８５】
以降、ワンセグ放送装置６と屋外子局２６とを接続する通信回線３５および緊急時の第２コンテンツの配信ルートについて説明する。
【００８６】
屋外子局２６とワンセグ放送装置６との間は通信回線３５で接続されており、第１実施形態ではこの通信回線３５を、ＲＳ−４２２プロトコルを用いたシリアル回線（有線）で構成している。
【００８７】
ＲＳ−４２２は、いわゆる平衡型の伝送方式であり、一対の送信あるいは受信信号線をそれぞれ＋，−の差動信号に分離することによりノイズを打ち消して長距離伝送を可能としており、最大１０Ｍｂｐｓの速度で、最大１．２Ｋｍまでデータ伝送が可能である。
【００８８】
屋外子局２６とワンセグ放送装置６とは、例えば数１００ｍ程度離れた場所に設けられ、これらの間はＲＳ−４２２によって双方向に接続される。具体的事例としては、例えば学校の校舎にワンセグ放送装置６が設けられ、屋外子局２６がその体育館に設けられ、校庭にトランペットスピーカが設けられる。
【００８９】
さて、災害には一過性のものもあるが、通常は状況が刻々と変わっていく。例えば大規模な地震災害では、発生当初は地震の場所や規模の情報が中心となるが、次は津波の規模や到達時刻の予測等の情報、その後は避難場所や物資に関する情報へと、被災者等の関心が高い情報は変遷していく。同報無線親局２５は、このようなリアルタイム性の高いコンテンツを臨機応変に配信する。
【００９０】
このような緊急時において、同報無線親局２５はファイル転送制御コマンドを送信し、６０ＭＨｚ帯無線である同報無線３４およびＲＳ−４２２プロトコルを採用した通信回線３５を経由して（即ち、屋外子局２６を経由して）、ＴＳファイル１５ａ（以降、第２コンテンツと呼称する）を、ワンセグ放送装置６に配信する。そして、第２コンテンツを配信した後、同報無線親局２５は同様に同報無線３４および通信回線３５を経由して、ファイル再生制御コマンドをワンセグ放送装置６に送信する。このような同報無線３４および通信回線３５を経由した第２コンテンツ配信、または制御コマンド送信のルートを、以降、緊急時第１配信ルートと呼称する。
【００９１】
一方、同報無線親局２５は、第２ネットワーク７ｂを介して、ワンセグ放送装置６のＣＰＵ部６ｃと接続されており、第２ネットワーク７ｂに障害がない場合、第２コンテンツのみを第２ネットワーク７ｂを経由して高速に配信する。この場合、ファイル転送制御コマンドは送信されないが、同報無線親局２５は、同報無線３４と通信回線３５とを経由してファイル再生制御コマンドを送信する。これは、同報無線システム２のデータ送信速度は低速でも、データ送信そのものの信頼性は極めて高いことに起因している。このような第２ネットワーク７ｂを経由した第２コンテンツの配信と、同報無線３４および通信回線３５を経由した制御コマンド送信のルートとを、以降、緊急時第２配信ルートと呼称する。
【００９２】
以降、ワンセグ放送装置６に設けられた記憶部６ｄについて説明する。記憶部６ｄで記憶されるのは、一般にＴＳファイル１５ａといった比較的に大容量のコンテンツであり、かつ当該コンテンツは緊急時に放送されるといった性質上、記憶部６ｄは、信頼性、可用性等を考慮して二重化を考慮した記憶媒体を採用することが望ましい。
【００９３】
このように記憶部６ｄをワンセグ放送装置６に設けることで、既存の同報無線システム２の屋外子局２６の施設をそのまま利用できることから、少ない設備投資でコンテンツ配信システム１を構築することが可能となる。
【００９４】
そして、記憶部６ｄには、初期状態（出荷時）において予めコンテンツが蓄えられている。具体的には映像コンテンツとして、屋外子局２６の周辺地域の地図や複数の避難経路の情報等、音声コンテンツとして「水害のおそれがある」等の災害状況や、避難施設への誘導に関する情報等が蓄積される。また、蓄積されたコンテンツには、避難勧告が出されている地域の一覧といった、地方自治体が提供するホームページのアドレス等も含まれる（以降、第３コンテンツと呼称する）。
【００９５】
そして、例えば、災害が発生した後に一区切りついたが、まだ商用電源が復旧してない場合や、送出設備３が復旧していない状況で、ある程度の放送を行わなければならない、といった場合は、この第３コンテンツが放送される。
【００９６】
ワンセグ放送装置６は、送出設備３から配信された第１コンテンツ、または同報無線親局２５から配信された第２コンテンツ、またはワンセグ放送装置６の記憶部６ｄに予め記憶しておいた第３コンテンツのいずれか１つ以上を放送することができる（また、各コンテンツの数や組み合わせには制約がない）。そして、これらのコンテンツのいずれを放送するかは、上述したファイル再生制御コマンドによって決定される。即ち、緊急時において、同報無線親局２５は、ファイル再生制御コマンドを用いることで、平常時に送出設備３から配信を受けて放送されている第１コンテンツを、例えば記憶部６ｄに予め記憶しておいた第３コンテンツに切り替えることができる。このようにファイル再生制御コマンドは再生するコンテンツの「切り替えコマンド」として機能する。
【００９７】
図３は、本発明の第１実施形態に係るコンテンツ配信システム１において、音声通報の過程を示す説明図である。図３では、同報無線親局２５が屋外子局２６に対して音声信号を送信し、これを受信した屋外子局２６が、音声信号をトランペットスピーカ２９から通報する過程を示している。以降、音声通報制御コマンドについて、図２を併用して説明する。
【００９８】
まず、同報無線親局２５において、例えば地方自治体の職員が直接マイクを介して音声を入力すると、操作卓２７を構成するコンピュータシステムは、入力された音声をデジタル化し、符号化された音声信号を生成する。もちろん、平常時においては、予め記憶された音声信号を都度送信するようにしてもよい（自治体で夕刻になると放送される音楽等が典型である）。
【００９９】
次に、同報無線親局２５は、音声通報制御コマンドの１つである「通報開始指示」を屋外子局２６に対して送信する（ＳＴ３０１）。「通報開始指示」は６０ＭＨｚ帯無線である同報無線３４を経由して屋外子局２６に送信され、屋外子局２６はこれを受信する。屋外子局２６の無線機２６ｒは受信した制御コマンドを解析して、これが「通報開始指示」である場合、当該制御コマンド以降に受信される信号は、符号化された音声信号であると認識する。
【０１００】
そして、屋外子局２６は、受信した音声信号を無線機２６ｒによってリアルタイムでデコードしてアナログ音声信号に変換し、拡声器用アンプ２６ｄで増幅した後、トランペットスピーカ２９を用いて通報する。
【０１０１】
同報無線親局２５は、符号化された音声信号の送信を終了すると、音声通報制御コマンドの１つである「通報終了指示」を出力する（ＳＴ３０２）。「通報終了指示」も同報無線３４を経由して屋外子局２６に送信され、屋外子局２６の無線機２６ｒはこれを解析し、「通信終了指示」の後に受信したデータは符号化された音声信号ではないと認識する。これによって、トランペットスピーカ２９による音声通報が停止される。
【０１０２】
なお、１つの同報無線親局２５は、複数の屋外子局２６に対して符号化された音声信号を配信する、いわゆる１対Ｎ通信を実行することができ、逆に配信先を限定する１対１通信を実行することもできる（以降説明する、ファイル転送制御コマンドも同様である）。
【０１０３】
図４は、本発明の第１実施形態に係るコンテンツ配信システム１において、ファイル転送の過程を示す説明図である。以降、図４に図２を併用して、ファイル転送制御コマンドについて説明する。
【０１０４】
ファイル転送に用いられる制御コマンドは、全て上述した緊急時第１配信ルートを経由して行われる。また、以降の説明では、同報無線親局２５が生成した第２コンテンツも緊急時第１配信ルートを経由して配信されるものとする。
【０１０５】
同報無線親局２５は、ファイル転送に先立ち、複数の制御コマンドにおいて共通して使用される共通コマンドである「データ通信開始」を屋外子局２６に対して送信する（ＳＴ４０１）。屋外子局２６の無線機２６ｒは受信した制御コマンドを解析して、これが「データ通信開始」である場合は、以降に受信するデータ（制御コマンドおよびファイルを構成するデータ）は通信回線３５を経由してワンセグ放送装置６に送信されるものであると認識する。
【０１０６】
次に、同報無線親局２５は、ファイル転送制御コマンドの１つである「データ転送開始要求」を屋外子局２６に送信する（ＳＴ４０２）。この「データ転送開始要求」は緊急時第１配信ルートに従い、屋外子局２６からワンセグ放送装置６に中継される（ＳＴ４０３）。「データ転送開始要求」を受信したワンセグ放送装置６は、ファイル受信が可能と判断すると、ファイル転送モードへの状態遷移が行われる。ファイル転送モードの準備が完了すると、ワンセグ放送装置６は、ファイル転送制御コマンドの１つである「ファイル転送開始応答」を、屋外子局２６に返す（ＳＴ４０４）。そして、屋外子局２６の制御部２６ｃと無線機２６ｒとは連携して、「ファイル転送開始応答」を同報無線親局２５に返す（ＳＴ４０５）。
【０１０７】
屋外子局２６が制御コマンドを中継することで、同報無線親局２５とワンセグ放送装置６との間で要求信号（ＲＥＱ）と応答信号（ＡＣＫ）とに基づく間接的な（中継を伴う）ハンドシェイクが成立し、以降、所定量のデータ単位にパケット化された第２コンテンツを転送する毎に、ＲＥＱ／ＡＣＫをやり取りしながらファイル転送シーケンスが実行される（ＳＴ４０６）。
【０１０８】
その後、ＳＴ４０６のファイル転送が完了すると、同報無線親局２５は、ファイル転送制御コマンドの１つである「ファイル転送停止要求」を屋外子局２６に送信し（ＳＴ４０７）、屋外子局２６はこれをワンセグ放送装置６に中継する（ＳＴ４０８）。ワンセグ放送装置６は、この制御コマンドを受領することで待機モードへの状態遷移を行ない、その後、これも制御コマンドの１つである「ファイル転送停止応答」を屋外子局２６に送信する（ＳＴ４０９）。これを受信した屋外子局２６は、「ファイル転送停止応答」を同報無線親局２５に中継する（ＳＴ４１０）。この応答を受けて、同報無線親局２５は、共通コマンドの１つである「データ通信停止」を屋外子局２６に送信し、ファイル転送の一連のシーケンスが完了する（ＳＴ４１１）。
【０１０９】
送出設備３から配信される第１コンテンツが放送中であっても、ワンセグ放送装置６は同報無線親局２５によって送信される制御コマンド「ファイル転送要求」を受信し、ファイル転送を受け付ける。即ち、ワンセグ放送装置６は、第１コンテンツの受信・放送とファイル（第２コンテンツ）の受信とを並列に実行することができる。
【０１１０】
また、上述したように、同報無線３４および通信回線３５はいずれも双方向通信が可能であり、ワンセグ放送装置６は、記憶部６ｄに記憶された第３コンテンツを同報無線親局２５に送信することができる。この場合、ワンセグ放送装置６は、屋外子局２６に対してファイル転送開始要求を出力し、これを受けた屋外子局２６が、同報無線親局２５に対して「データ通信開始」を出力する。ただし、屋外子局２６にホスト機能がない場合、例えば、同報無線親局２５に屋外子局２６からのリクエストを検出するダミーコマンドを発行させ、いわゆるポーリングを行うようにしてもよい。
【０１１１】
このような制御コマンド送信の双方向性については、ファイル転送制御コマンドのみでなく、後述する検査用制御コマンドも有しており、ワンセグ放送装置６や屋外子局２６から同報無線親局２５に対して制御コマンドを送信できる。
【０１１２】
なお、ファイル転送は１対Ｎ通信で実行することもできるため、管轄する地域内にワンセグ放送装置６を複数備えていても、全てのワンセグ放送装置６に対して、ＴＳファイル１５ａを同時に配信することができる。一方、個々のワンセグ放送装置６を指定した、１対１通信のファイル転送も可能である。
【０１１３】
また、制御コマンドやパケットに対して、例えばパリティビットやハミング符号などを付与しておき、同報無線親局２５、屋外子局２６、ワンセグ放送装置６に制御コマンドに対する誤り検出や誤り訂正機能を持たせておいてもよい。またビット誤り等が検出された場合に、制御コマンドの再送を求めるようにしてもよい。
【０１１４】
次に、配信されたファイルの記憶部６ｄへの記憶および更新について説明する。ワンセグ放送装置６は、同報無線親局２５が配信した第２コンテンツを受信し、これを記憶部６ｄに記憶することができる。この追加記憶は、ファイル転送制御コマンドのオプション指定によって実現される。即ち、同報無線親局２５は、「ファイル転送開始要求」に含まれるオプションによって、配信した第２コンテンツを記憶部６ｄに記憶するか否かを指定する。
【０１１５】
記憶部６ｄには、災害時に放送するコンテンツのみならず、平常時に再生するコンテンツが格納されていてもよい。即ち、ワンセグ放送装置６に第１コンテンツを供給する送出設備３が存在しないようなケースであっても、地方自治体が所定のエリアに特化した観光案内などを、記憶部６ｄに新たに記憶させて、これをワンセグ放送装置６で放送するような使い方も可能である。
【０１１６】
また、一度配信したＴＳファイル１５ａを後に使い回すことが可能である。記憶部６ｄに記憶されたコンテンツは互いにユニークなＩＤ（以降、コンテンツＩＤと呼称する）を付与されている。コンテンツＩＤはコンテンツを配信する側（例えば、同報無線親局２５）、またはワンセグ放送装置６のいずれが付与してもよいが、少なくともワンセグ放送装置６は、同報無線親局２５または送出設備３の要求に応じて、記憶部６ｄに記憶されているコンテンツＩＤのリストを返す機能を有している。そして、同報無線親局２５は、記憶部６ｄに蓄積されたコンテンツを再生するにあたって、コンテンツＩＤを指定する（後に説明するファイル再生制御コマンドを使用する）ことで、ワンセグ放送装置６に任意に放送させることができる。このようにコンテンツＩＤによって区別が行われるため、観光情報のような平常時に使用するコンテンツと緊急時に使用するコンテンツとを記憶部６ｄに共存させておいても構わない。
【０１１７】
また、同報無線親局２５は、第２コンテンツを配信する際に、ファイル転送制御コマンドとして、ＴＳファイル１５ａのコンテンツＩＤおよび上書き実行オプションを付加することで、記憶部６ｄに記憶された第２コンテンツを更新することができる。更に同じ手法によって、同報無線親局２５は、記憶部６ｄに記憶された第３コンテンツを更新することもできる。
【０１１８】
なお、一旦記憶部６ｄに記憶された第２コンテンツは、同報無線親局２５によって消去指示が行われる（例えば、消去するファイルのコンテンツＩＤを指定して空ファイルを転送することで実行される）まで消去されることはない。
【０１１９】
図５は、本発明の第１実施形態に係るコンテンツ配信システム１において、ファイル再生の過程を示す説明図である。以降、図５に図２を併用してファイル再生制御コマンドについて説明する。
【０１２０】
ファイル再生に用いられる制御コマンドは、全て上述した緊急時第１配信ルートを経由して送信される。
【０１２１】
以降、平常時に、第１ネットワーク７ａを経由して送出設備３からワンセグ放送装置６に対して第１コンテンツが配信されている状況において、災害等が発生し、同報無線親局２５がワンセグ放送装置６に制御コマンドを送信し、これによってワンセグ放送装置６の記憶部６ｄに予め記憶されていた第３コンテンツが放送される状況（放送するコンテンツの切り替え）を想定して説明する。
【０１２２】
災害等が発生すると、まず同報無線親局２５は、ファイル再生制御コマンドの送信に先立ち、ファイル転送制御と同様に共通コマンドである「データ通信開始」を屋外子局２６に送信する（ＳＴ５０１）。屋外子局２６の無線機２６ｒは受信した制御コマンドを解析して、これが「データ通信開始」である場合は、以降に受信するデータ（制御コマンド）は通信回線３５を経由してワンセグ放送装置６に中継するデータであると認識する。
【０１２３】
この「データ通信開始」は同報無線親局２５と屋外子局２６との間で通信を開始するトリガとなる。その後、同報無線親局２５は屋外子局２６に対してファイル再生制御コマンドの１つである「ファイル再生開始」を送信する（ＳＴ５０２）。
【０１２４】
「ファイル再生開始」を受信した屋外子局２６は、通信回線３５を経由して当該コマンドをワンセグ放送装置６に中継する（ＳＴ５０３）。
【０１２５】
ワンセグ放送装置６は「ファイル再生開始」を受信すると、再生すべきファイルを抽出する。「ファイル再生開始」には、ワンセグ放送装置６の記憶部６ｄに予め格納されている第３コンテンツ、あるいは「データ通信開始」が送信される直前に、緊急時第１配信ルートを経由してワンセグ放送装置６に配信された第２コンテンツ、あるいは送出設備３から配信された第１コンテンツのいずれかを選択するためのコードが含まれている（複数のコンテンツを同時に指定可能にしてもよい）。更に、第１コンテンツ、第２コンテンツが記憶部６ｄに記憶済みであるとき、または第３コンテンツを選択する場合は、「ファイル再生開始」内に含まれるコンテンツＩＤに基づき、放送するコンテンツが選択される。
【０１２６】
本例では、放送するコンテンツとして所定の第３コンテンツが選択され、ワンセグ放送装置６が「ファイル再生開始」を受信した直後（タイミングＥ１）において、ワンセグ放送装置６が放送するコンテンツは、それまでの第１コンテンツから第３コンテンツに切り替えられ、第３コンテンツの放送が繰り返し継続される（ＳＴ５０４）。
【０１２７】
その後、同報無線親局２５は、制御コマンドの１つとして「ファイル再生停止」を屋外子局２６に送信する（ＳＴ５０５）。屋外子局２６は、当該コマンドをワンセグ放送装置６に中継し（ＳＴ５０６）、ワンセグ放送装置６が当該コマンドを受信した直後（タイミングＥ２）に、第３コンテンツの放送が停止される。
【０１２８】
ここで、「ファイル再生停止」には、オプションとして「復帰の有無」が含まれており、本例では、「復帰あり」が指定されたことにより、タイミングＥ２において、第３コンテンツを放送する直前に放送されていた第１コンテンツが再度放送（復帰）される。もちろん、「復帰の有無」といったオプションを用いなくても、新たに第１コンテンツを指定して、ファイル再生制御コマンドを送信してもよい。
【０１２９】
その後、同報無線親局２５は、共通コマンドの１つである「データ通信停止」を屋外子局２６に送信し、ファイル再生制御の一連のシーケンスが完了する（ＳＴ５０７）。
【０１３０】
ここで、例えば、災害等の発生によって送出設備３がスタジオとしての機能を喪失してしまったような場合、同報無線親局２５は「ファイル再生停止」を送信しないことで、第３コンテンツを繰り返し放送し続けることができる。
【０１３１】
一方で、災害時に送出設備３がスタジオとしての機能を失っておらず、例えばリアルタイムに変化する災害後の状況について、音声コンテンツをストリーミングしつつ、一方で、記憶部６ｄに記憶された第３コンテンツとして、例えば地図情報を利用したいような場合、同報無線親局２５は、「ファイル再生開始」のオプションとして複数のコンテンツＩＤを指定するとともに、オプション「マージＯＮ」を付加するようにしてもよい。こうすると、ワンセグ放送装置６は、例えば、映像については第３コンテンツ、音声については第１コンテンツを選択し、これらをマージした放送を行う。もちろん、送出設備３の音声コンテンツと記憶部６ｄに記憶された映像コンテンツとを所定のタイミングで切り替えて放送するようにしてもよい。同報無線親局２５は、上述した「ファイル再生開始」、「ファイル再生停止」を任意の時点で出力することが可能である。
【０１３２】
図６（ａ），（ｂ）は、ワンセグ放送装置６において、放送するコンテンツを切り替える態様について説明する説明図である。図６（ａ）は、コンテンツ強制切り替え機能がＯＮの場合を、図６（ｂ）は、同機能がＯＦＦの場合を示している。以降、放送されるコンテンツの切り替えについ説明する。
【０１３３】
コンテンツ強制切り替え機能は、例えば、上述したファイル再生制御コマンドのうち「ファイル再生開始」のオプションとして設定される。コンテンツ強制切り替え機能をＯＮに指定すると、「ファイル再生開始」を受信したワンセグ放送装置６は、当該制御コマンドを解釈すると、現時点で放送されているコンテンツを直ちに指定されたコンテンツに切り替えて放送する。ここで、図６（ａ）に示す第１コンテンツが現時点で放送されているコンテンツであり、第２コンテンツが切り替えて放送されるコンテンツを示す。なお、少なくともコンテンツを切り替える前までに、第２コンテンツをワンセグ放送装置６の記憶部６ｄに記憶しておく必要がある。ただし、第２コンテンツがＴＳストリーミングである場合は、記憶しておく必要はない。このように強制切り替え機能をＯＮにすることで、直ちにコンテンツを切り替えることが可能であるため、緊急時のコンテンツ切り替えに際して有用である。
【０１３４】
一方、コンテンツ強制切り替え機能をＯＦＦに指定すると、「ファイル再生開始」を受信したワンセグ放送装置６は、現時点で放送されているコンテンツの終了を待って、その後に指定されたコンテンツに切り替えて放送する。例えば、図６（ｂ）に示すように、第１コンテンツＢの放送途中で、同報無線親局２５から第２コンテンツが配信され、ファイル再生制御コマンドによって放送するファイルの切り替えが指示されても、ワンセグ放送装置６は、その時点で放送するコンテンツを切り替えることなく、第１コンテンツＢが終了した後に放送するコンテンツを切り替える。このように強制切り替え機能をＯＦＦにすることで、放送中のコンテンツは最後まで放送されるため、平常時のコンテンツ切り替えに際して有用である。
【０１３５】
図７は、本発明の第１実施形態に係るコンテンツ配信システム１において、検査手段の動作過程を示す説明図である。以降、第１実施形態の検査手段の構成および、検査に用いられる検査用制御コマンドについて、図２を併用して説明する。
【０１３６】
コンテンツ配信システム１を構成するワンセグ放送装置６には、上述したように第１検査手段６ｋ、第４検査手段６ｍが備えられている。これらは例えばコンピュータで構成され、第１検査手段６ｋは、プログラムに従って第２ネットワーク７ｂの状態を、例えばｐｉｎｇコマンドを利用することで検査する。ｐｉｎｇコマンドが正常に実行できれば、通常はホスト間のネットワークは正常であると判断される。また第４検査手段６ｍは、例えばダミーコマンドを通信回線３５に送出し、ＲＥＱ／ＡＣＫ応答を用いて通信回線３５が正常か否かを検査する。
【０１３７】
また、同報無線親局２５には、第２ネットワーク７ｂの状態を検査する第２検査手段２５ｋが設けられている。第２検査手段２５ｋは、例えば第１検査手段６ｋと同様の手法を用いて第２ネットワーク７ｂが正常か否かを検査する。第１ネットワーク７ａおよび第２ネットワーク７ｂを１つのネットワーク７構成した場合であっても、原則的に上述の検査手法を用いて検査することが可能である。
【０１３８】
また、屋外子局２６には、通信回線３５の状態を検査する第３検査手段２６ｋが設けられている。第３検査手段２６ｋは、例えば第４検査手段６ｍと同様の手法を用いて通信回線３５が正常か否かを検査する。
【０１３９】
以降、第１検査手段６ｋによる第１ネットワーク７ａの検査を例にとって説明する。同報無線親局２５は、検査に先立ち、複数の制御コマンドにおいて共通して使用される共通コマンドである「データ通信開始」を屋外子局２６に対して送信する（ＳＴ７０１）。屋外子局２６の無線機２６ｒは受信した制御コマンドを解析して、これが「データ通信開始」である場合は、以降に受信するデータ（制御コマンド）は通信回線３５を経由してワンセグ放送装置６に送信されるものであると認識する。
【０１４０】
次に、同報無線親局２５は、検査用制御コマンドの１つである「状態確認要求」を屋外子局２６に送信する（ＳＴ７０２）。この「状態確認要求」は通信回線３５を経由して、屋外子局２６からワンセグ放送装置６に中継される（ＳＴ７０３）。「状態確認要求」を受信したワンセグ放送装置６は、上述したように例えばｐｉｎｇコマンドを実行し、第１ネットワーク７ａの状態を検査する（ＳＴ７０４）。そして検査の結果は、ワンセグ放送装置６が検査用制御コマンドの１つである「状態確認応答」に付加して屋外子局２６に送信する（ＳＴ７０５）。当該コマンドを受信した屋外子局２６は、当該コマンドを同報無線親局２５に中継する（ＳＴ７０６）。
【０１４１】
その後、同報無線親局２５は、共通コマンドの１つである「データ通信停止」を屋外子局２６に送信し、検査用制御コマンドの一連のシーケンスが完了する（ＳＴ７０７）。
【０１４２】
以上、緊急時第１配信ルートを用いた検査用制御コマンドの実行過程について説明したが、同報無線親局２５に設けられた第２検査手段２５ｋは、同報無線親局２５によって直接起動され、また屋外子局２６に設けられた第３検査手段２６ｋは、同報無線親局２５から屋外子局２６に送信された検査用制御コマンドによって実行される。ここで、第３検査手段２６ｋによる検査は検査用制御コマンドが屋外子局２６に正常に送信されることを前提としている。従って第３検査手段２６ｋは、結局、同報無線３４および通信回線３５の両方を検査していることに他ならない。
【０１４３】
なお、検査用制御用コマンドを受信したときに、ワンセグ放送装置６は、第１ネットワーク７ａの状態のみならず、ワンセグ放送装置６についての全般的な検査を実行してもよい。そしてその際に、例えば送出設備３から受信しているＴＳストリーミングを破棄して、検査のためのリソースを確保するようにしてもよい。この具体的な方法としては、例えば、別に定義した検査用制御コマンドによって、送出設備３から受信した第１コンテンツに対して、全ての処理を中止し、その後「状態確認要求」を受信した際に検査を実行すればよい。
【０１４４】
以上、コンテンツ配信システム１の構成およびコンテンツ配信システム１で使用される制御コマンドについて詳細に説明した。以降、第１実施形態に係るコンテンツ配信システム１の運用態様の具体例を説明する。
【０１４５】
（１）同報無線親局２５による第２コンテンツ配信およびコンテンツの切り替えによる緊急放送
【０１４６】
同報無線親局２５（操作卓２７）は、ファイル転送制御コマンドを用いて、緊急時第１配信ルートを経由してワンセグ放送装置６に第２コンテンツを配信し、その後にファイル再生コマンドを送信して、ワンセグ放送装置６に平常時の放送（第１ネットワーク７ａを経由して送出設備３から配信されている第１コンテンツの放送）を中断させ、更に第２コンテンツを再生させることができる。即ち、緊急性が極めて高い状況において、地方自治体に置かれた同報無線親局２５は、必要と認められる期間においてワンセグ放送装置６を支配することができる。
【０１４７】
ここで、第１実施形態では、コンテンツ配信システム１が配信する第２コンテンツとして、例えば独立性が高いＴＳファイル１５ａを想定している。より具体的には、第２コンテンツは「ｘｘ時ｘｘ分にｘｘ地方で震度ｘｘの地震が発生しました」のように、当該コンテンツに接した者が、１個の情報としてその意図するところを理解でき、かつ容量が比較的小さいテキストファイル等であり、更に報知の緊急性が高いコンテンツを想定している。
【０１４８】
このように、第２コンテンツは小容量（高々１Ｋｂｙｔｅ程度。即ち、９６００ｂｐｓで送信したとしても１秒未満で配信可能）であるが故に、低速の同報無線３４で配信しても、放送のタイミングを逸することはない。また、ＴＳファイル１５ａは、操作卓２７上で動作するソフトウェアで直接的に作成されるため、未知の災害が発生した場合であっても容易に対応することができる。これによって、災害発生直後に、住人に対して極めて早期に第１報を報知することが可能となる。即ち、緊急時において、様々なコンテンツのうちのいずれを放送するか、あるいはどのように組み合わせて放送するのかは、同報無線親局２５が管理することになる。
【０１４９】
なお、状況が平常時に復帰すると、同報無線親局２５は、ファイル再生制御コマンドによって、第１コンテンツのみを表示するように制御する。
【０１５０】
（２）同報無線親局２５が送信する切り替えコマンド（ファイル再生制御コマンド）による記憶部６ｄに記憶された第３コンテンツの交互放送
【０１５１】
上述したように、同報無線親局２５はファイル転送制御コマンドによって、第２コンテンツをワンセグ放送装置６に配信し、これをワンセグ放送装置６の記憶部６ｄに新規に記憶する。そして、一旦第２コンテンツを記憶部６ｄに格納した後、同報無線親局２５は、緊急時第１配信ルートでワンセグ放送装置６にファイル再生制御コマンドを送信し、ワンセグ放送装置６に、記憶部６ｄに記憶した第２コンテンツと予め記憶部６ｄに記憶しておいた第３コンテンツとを交互に繰り返し放送させることができる。
【０１５２】
これによって、ワンセグメント受信機８には、例えばテキストとしての第２コンテンツが「ｘｘ時ｘｘ分ごろｘｘ地区で火災が発生しました」と表示され、その後に静止画像としての第３コンテンツが「該当地区の地図や避難経路」と表示され、これが繰り返し放送される。
【０１５３】
なお、上述したように、ファイル転送制御コマンドのオプション指定によって第３コンテンツは更新することが可能であるため、例えば地区の地図の内容が変化したような場合であっても、同報無線親局２５はコンテンツを最新の内容に更新することができる。
【０１５４】
また、第２コンテンツと第３コンテンツとを交互に切り替えて放送する手法としては、それぞれのＴＳファイル１５ａを単純に交互に放送するのみならず、第２実施形態として説明する、ＥＳ差し替え方式やイベントメッセージ方式を用いてもよい。この場合、例えば第２コンテンツを複数、第３コンテンツを単数として、これらを相互に切り替えて放送してもよく、コンテンツの個数は自由に設定して構わない。
【０１５５】
また、例えば、「避難経路の図」と「所定の音声信号」とを一つのコンテンツとして放送したい場合、ワンセグ放送装置６の記憶部６ｄに「避難経路の図」と、「所定の音声信号」とをリンクして管理しておき、同報無線親局２５がコンテンツＩＤによって「避難経路」を指定した際に、ワンセグ放送装置６は、リンクが張られた「所定の音声信号」を「避難経路」と切り替えて、あるいはマージして放送してもよい。これによって、同報無線親局２５が第３コンテンツを１つ指定すると、これに関連する第３コンテンツが連続して放送されるため、同報無線親局２５の管理負担が軽減する。
【０１５６】
また、この「所定の音声信号」をＴＳファイル１５ａとして構成しておけば、ワンセグ放送装置６は、これを通信回線３５と同報無線３４とを用いて、これまで説明したのとは逆のルートで同報無線親局２５に送信してもよい。そして、同報無線親局２５で当該「所定の音声信号」をデコードして、再度符号化された音声信号を再構成し、これを屋外子局２６に送信してトランペットスピーカ２９から音声を出力してもよい。
【０１５７】
（３）送出設備３が配信する緊急時のコンテンツに基づく、同報無線親局２５による第３コンテンツの選択
【０１５８】
上述したように、平常時において、送出設備３は第１コンテンツを配信しているが、災害等発生時には送出設備３自らが、防災向けのコンテンツを配信することが考えられる。即ち、民間企業のサービスの一環として、例えば災害が発生した旨のテロップ等を、放送中の番組に挿入して配信するケースが考えられる。このケースでは、本来、同報無線親局２５が果たすべき役割を、送出設備３が代替していることになる。
【０１５９】
図２に示すように、第１ネットワーク７ａと第２ネットワーク７ｂとは相互に接続されており（もちろん、１つのネットワーク７であってもよい（図１参照））、送出設備３は、同報無線親局２５に対して、第１および第２ネットワーク７ａ，７ｂを経由して災害の種類を示す災害種類情報を提供できる。具体的には、情報種類情報としては例えばＣＭＳ１５（図１参照）が生成したＴＳファイル１５ａが該当する。ＣＭＳ１５は、災害種類情報が付加されたＴＳファイル１５ａを同報無線親局２５に送信する。このＴＳファイル１５ａは、同報無線親局２５の操作卓２７で解析されて、例えば「地域：ｘｘ，発生日時：ｙｙ，ｍｍ．ｄｄ，災害種類：ｃｏｄｅ１」といった災害種類情報が含まれると認識される（この場合、ＣＭＳ１５が請求項の情報送信手段に該当する）。
【０１６０】
操作卓２７は、当該災害種類情報に基づいて、例えば台風災害や火災等に対応した第３コンテンツを抽出する。具体的には操作卓２７は、災害種類情報に含まれる地域、発生日時、災害種類といった情報に基づいて、ワンセグ放送装置６の記憶部６ｄに記憶されたコンテンツのリスト（上述のように、同報無線親局２５またはワンセグ放送装置６のいずれかが保有している。そしてコンテンツのリストには、上述した災害種類等を示すタグが付与されている）を検索する。そして、地域ｘｘの周辺地図、災害種類と災害時刻とに基づく避難ルート等について、最も放送に適した第３コンテンツのコンテンツＩＤを抽出する。
【０１６１】
そして、同報無線親局２５は、このコンテンツＩＤを含むファイル再生制御コマンドを緊急時第１配信ルートでワンセグ放送装置６に送信し、ワンセグ放送装置６に当該コンテンツＩＤで指定される第３コンテンツを放送させる。更に同報無線親局２５は、所定時間経過後に同様にファイル再生制御コマンドをワンセグ放送装置６に送信し、ワンセグ放送装置６に第１コンテンツを放送させる。同報無線親局２５はこれを交互に繰り返す。このときの第３コンテンツの例としては、例えば災害種類が水害の場合であれば、河川地図や、河川氾濫によって水没する危険性のあるハザードマップ等が挙げられる。
【０１６２】
なお、ファイル再生制御コマンドとして、複数のコンテンツＩＤ（ファイルＡおよびファイルＢ）を指定し、これらを交互に連続再生を行う旨の制御コマンド群（プロシージャ）を定義しておいてもよい。このようにすることで、プロシージャが記載されたファイルをワンセグ放送装置６に送信して、その後のコンテンツの選択と切り替え処理とをワンセグ放送装置６に委譲することができる。
【０１６３】
また、上述の例では、第１コンテンツと記憶部６ｄに予め記憶された第３コンテンツとを切り替えて放送するケースを説明したが、同報無線親局２５で生成した第２コンテンツをワンセグ放送装置６の記憶部６ｄに新規に蓄積させ、ファイル転送が完了した後、同報無線親局２５は、ワンセグ放送装置６に対してファイル再生制御コマンドを送信し、送出設備３が配信する第１コンテンツと新たに記憶部６ｄに蓄積した第２コンテンツとを、交互に切り替えて放送させるようにしてもよい。
【０１６４】
（４）第１ネットワーク７ａが異常となった場合の措置
【０１６５】
平常時において、ワンセグ放送装置６は送出設備３から第１ネットワーク７ａを経由して配信される第１コンテンツを放送しているが、緊急時に第１ネットワーク７ａが切断された、もしくは被災した結果（送出設備３自体に不具合が生じた場合も含む）、第１コンテンツの配信ができない場合、同報無線親局２５は、屋外子局２６を経由して制御コマンドを出力して、ワンセグ放送装置６の記憶部６ｄに予め記憶しておいた第３コンテンツを放送する。これによって送出設備３が崩壊しても、緊急時のエリアワンセグ放送が停止することがなくなる。
【０１６６】
ワンセグ放送装置６には、送出設備３とワンセグ放送装置６とを接続する第１ネットワーク７ａの状態を監視する第１検査手段６ｋが設けられている。第１検査手段６ｋによって、第１ネットワーク７ａ系統の不具合が検出された場合、ワンセグ放送装置６はＣＰＵ部６ｃの判断で、第１ネットワーク７ａが異常である旨を同報無線親局２５に送信する。これを受けた、同報無線親局２５では、具体的な検査結果に基づいて第３コンテンツを選択して放送するようにしてもよい。なお、第１検査手段６ｋによる検査および結果の報告は、ワンセグ放送装置６によって自律的に行われてもよいし、図７を用いて説明したように、同報無線親局２５が送信する検査用制御コマンドに応答して行われてもよい。
【０１６７】
さて、上述した（３）の運用例では、緊急時に送出設備３が防災等に関するコンテンツを配信し、いわば同報無線親局２５を代替している。しかし、例えば地震災害等によって送出設備３とワンセグ放送装置６との間を接続する第１ネットワーク７ａが寸断したような場合は、本来的に同報無線親局２５がその役割を引き継ぐ必要がある。
【０１６８】
即ち、第１検査手段６ｋによる検査結果に基づき、同報無線親局２５は、第１ネットワーク７ａの状態を正常と判断した場合は、ワンセグ放送装置６にそれまでの放送（即ち、第１コンテンツ＋第３コンテンツの放送）を継続させ、一方、第１ネットワーク７ａの状態を異常と判断した場合は、ワンセグ放送装置６に緊急時第１配信ルートを経由して第２コンテンツを送付して、これまで送出設備３が配信していた第１コンテンツと入れ替えるとともに、もともと同報無線親局２５の指示に基づいて放送されていた第３コンテンツとを交互に切り替えて放送させる。
【０１６９】
なお、送出設備３は、第１ネットワーク７ａと第２ネットワーク７ｂとを経由して、第１コンテンツを同報無線親局２５に対して送信してもよい。これによって同報無線親局２５で、送出設備３が正常に機能しているか否かを把握することが可能である。即ち、このようにすれば検査用制御コマンドを送信しなくても、受信パケットの有無を検出するのみで、送出設備３が第１コンテンツを配信しているか否かを検査することができる。
【０１７０】
（５）第２ネットワーク７ｂを利用したＴＳファイル１５ａの配信と、第２ネットワークが異常の場合の措置
【０１７１】
同報無線親局２５およびワンセグ放送装置６は、第２ネットワーク７ｂによっても接続されており、同報無線親局２５は緊急時第１配信ルート以外に、緊急時第２配信ルートを経由して第２コンテンツをワンセグ放送装置６に配信することができる。この場合、第２ネットワーク７ｂの系統が破綻していない場合、ＴＳファイル１５ａは第２ネットワーク７ｂで配信され、制御コマンドは同報無線３４と通信回線３５とを経由して送信される。つまり、第２コンテンツの配信という観点では、バックアップのために同報無線３４および通信回線３５が存在する。
【０１７２】
また、同報無線親局２５には、第２ネットワーク７ｂの状態を検査する第２検査手段２５ｋが設けられている。第２検査手段２５ｋは、上述したように、例えばｐｉｎｇコマンドを送信することで第２ネットワーク７ｂの状態を検査する。そして、同報無線親局２５は、第２検査手段２５ｋによる検査結果に基づいて、第２ネットワーク７ｂの状態を正常と判断した場合は、第２ネットワーク７ｂを経由して（即ち、緊急時第２配信ルートを経由して）ワンセグ放送装置６に第２コンテンツを送信し、第２ネットワーク７ｂの状態を異常と判断した場合は、同報無線３４と通信回線３５とを経由して（即ち、緊急時第１配信ルートを経由して）ワンセグ放送装置６に第２コンテンツを送信する。
【０１７３】
これによって、第２ネットワーク７ｂが動作していれば、高速に第２コンテンツを配信することができ、一方で、第２ネットワーク７ｂが動作していなくても、低速ではあるもの信頼性の高いルートを経由して、確実に第２コンテンツを配信することができる。
【０１７４】
また、屋外子局２６には、通信回線３５の状態を検査する第３検査手段２６ｋが設けられている。第３検査手段２６ｋは、上述したように、ＲＥＱ／ＡＣＫ応答を用いて通信回線３５の状態を検査する。そして、この検査結果は同報無線親局２５に報告される。なお、第３検査手段２６ｋによる検査および結果の報告は、屋外子局２６によって自律的に行われてもよいし、図７を用いて説明したように、同報無線親局２５が送信する検査用制御コマンドに応答して行われてもよい。
【０１７５】
検査結果を入手した同報無線親局２５は、第２検査手段２５ｋによる検査結果に基づいて、第２ネットワーク７ｂの状態を正常と判断し、かつ第３検査手段２６ｋによる検査結果に基づいて、通信回線３５の状態を正常と判断した場合は、同報無線３４と通信回線３５とを経由してファイル再生制御コマンド（切り替えコマンド）をワンセグ放送装置６に送信し、更に第２ネットワーク７ｂを経由して第２コンテンツをワンセグ放送装置６に送信する。
【０１７６】
このようにすることで、例えば同報無線親局２５で地図等の比較的容量が大きいＴＳファイル１５ａ（第２コンテンツ）を生成したような場合でも、第２ネットワーク７ｂを経由して高速に配信できる一方、制御コマンドのように低容量の情報は、より信頼性の高いルートで送信することができる。
【０１７７】
なお、第２ネットワーク７ｂおよび通信回線３５のいずれか一方のみが正常な場合は、正常なルートを用いて、第２コンテンツの配信とファイル再生制御コマンドの送信とを行えばよい。
【０１７８】
また、この例では、第２検査手段２５ｋは同報無線親局２５に設けられているが、これをワンセグ放送装置６の側に設けてもよい。
【０１７９】
（６）第１ネットワーク７ａおよび通信回線３５のいずれもが異常の場合のワンセグ放送装置６の動作
【０１８０】
これまでは、コンテンツ配信システム１の具体的な運用について説明したが、以降、エリアワンセグ放送を実行するワンセグ放送装置６に特有の機能について説明する。
【０１８１】
ワンセグ放送装置６には、第３コンテンツを予め記憶している記憶部６ｄが設けられ、更に、送出設備３とワンセグ放送装置６（第１受信手段であるＣＰＵ部６ｃ）との間（即ち、第１ネットワーク７ａ）の通信状態を検査する第１検査手段６ｋと、更に、屋外子局２６とワンセグ放送装置６（第２受信手段でもあるＣＰＵ部６ｃ）との間（即ち、通信回線３５）の通信状態を検査する第４検査手段６ｍとが備えられている。
【０１８２】
そして、第１検査手段６ｋおよび第４検査手段６ｍの検査結果が、いずれも異常であると検出された場合、ワンセグ放送装置６は、記憶部６ｄに予め記憶された第３コンテンツを放送する。
【０１８３】
このようにすれば、外部からワンセグ放送装置６に一切のコンテンツが与えられなくなった状況においても、ワンセグ放送装置６は放送を継続することができる。このときに放送されるコンテンツは、例えば、第１検査手段６ｋおよび第４検査手段６ｍの検査結果が、いずれも異常であると検出される直前に、同報無線親局２５から第３コンテンツが指定されている場合は、当該第３コンテンツを放送し続ければよい。
【０１８４】
しかし、第１検査手段６ｋおよび第４検査手段６ｍの検査結果が、いずれも異常であると検出される直前に、第１コンテンツを放送していた場合、ワンセグ放送装置６は災害が発生したとしても、その災害に適合するコンテンツを自律的に抽出できない。そこで、第１実施形態では、このような場合に、放送される第３コンテンツを、それぞれ種類の異なる災害に関連する複数のコンテンツで構成するようにしている。即ち、「緊急時でない場合は、現在行っているエリアワンセグ放送は無効である」、「水害が発生した場合の、避難場所はＡである」「地震が発生した場合の、避難場所はＡまたはＢである」等、ワンセグ放送自体の有効性に関するアナウンスと、これに続いて異なる災害状況に応じた防災情報を切り替えて繰り返し放送するようにしている。このようにすれば、住人は、予め想定される災害であれば、いずれ有効な情報を取得することが可能となる。
【０１８５】
（第２実施形態）
第１実施形態では、ファイル再生制御コマンドは、例えばワンセグ放送装置６の記憶部６ｄに予め記憶されている第３コンテンツを選択するものとして説明した。以降、第２実施形態として、コンテンツをより柔軟に切り替えて放送する手法について説明する。
【０１８６】
図８（ａ），（ｂ）は、本発明の第２実施形態に係るコンテンツ配信システム１において、コンテンツ切り替えの具体例を示す説明図であり、図９（ａ），（ｂ）は、本発明の第２実施形態に係るコンテンツ配信システム１において、コンテンツ切り替えの変形例を示す説明図である。各図において、（ａ）はコンテンツの切り替え前、（ｂ）はコンテンツ切り替え後をそれぞれ示す。以降、図８、図９に図２を併用して、コンテンツ切り替えの具体的手法について説明する。
【０１８７】
図８に示す方式は、ＥＳ（エレメンタリストリーム）差し替え方式と呼ばれる。ＥＳ差し替え方式では、２つのＥＳによって１つのデータ放送が構成された状態で、２つのうち一方のデータ放送ＥＳを差し替えることで、データ放送の内容を変更する。これによって、データ放送内の、イメージや文言等を差し替えることができる。
【０１８８】
具体的には、図８（ａ）に示すコンテンツ切り替え前において、ワンセグ放送装置６では、同報無線親局２５は、同報無線３４と通信回線３５とを経由して（即ち屋外子局２６で制御コマンドを中継して）記憶部６ｄに記憶されたコンテンツＣおよびコンテンツＤの２つを選択的に放送している。コンテンツＣ，Ｄはそれぞれ別のデータ放送であり、これらはワンセグメント受信機８のディスプレイ上において、レイヤ構造を有するコンテンツとして視聴される。
【０１８９】
図８（ｂ）に示すコンテンツ切り替え後において、同報無線親局２５は、これまで放送していたコンテンツＤに替えて、コンテンツＥを放送するように制御コマンド（例えば、ファイル再生制御コマンドのオプションとして規定される）を送信する。これによって、コンテンツＣを基本コンテンツとして、付帯するコンテンツＤとＥとを切り替えて放送することが可能となる。
【０１９０】
具体的には、例えばコンテンツＣとして地図を表示しておき、第１の避難経路をコンテンツＤ、第２の避難経路をコンテンツＥとして放送する場合等に用いることができる。なお、コンテンツＣ，Ｄ，Ｅはいずれも映像コンテンツに限定されない。例えば付帯コンテンツＤを避難経路の映像としたとき、コンテンツＥは避難経路を音声で説明したような態様としてもよい。これによって、耳の不自由な人に対してはコンテンツＤによって、目の不自由な人に対してはコンテンツＥによって情報提供が可能となり、災害弱者への情報提供を確実に行なうことができる。
【０１９１】
図９に示す方法は、イベントメッセージ方式と呼ばれる。イベントメッセージ方式では、予め切り替えたいデータ（コンテンツＧおよびコンテンツＨ）を放送コンテンツＦとして多重化しておき、イベントメッセージ（ＥＭ）を送信することで、ワンセグメント受信機８の表示を切り替える。
【０１９２】
イベントメッセージ方式も、同報無線親局２５が送信するファイル再生制御コマンドのオプション指定によって実行される。イベントメッセージ方式では、同報無線親局２５は、ワンセグ放送装置６にＥＭを送信するだけで、コンテンツを切り替えることができる。イベントメッセージ方式を採用する場合も、上述のＥＳ差し替え方式と同様に、映像コンテンツのみならず、音声コンテンツを用いることができる。
【０１９３】
以上、本発明に係るコンテンツ配信システムおよびワンセグメント放送装置について特定の実施形態に基づいて詳細に説明したが、これらの実施形態はあくまでも例示であって、本発明はこれらの実施形態によって限定されるものではない。
【０１９４】
例えば、各実施形態においては、コンテンツ配信システムおよびワンセグメント放送装置を災害時等に運用されるものとして説明したが、これに限らず本発明は、地域の安全を確保するために、例えば不審者情報の報知等にも応用することができる。なお、上記実施形態に示した各構成要素は必ずしも全てが必須ではなく、少なくとも本発明の範囲を逸脱しない限りにおいて適宜取捨選択することが可能である。
【産業上の利用可能性】
【０１９５】
本発明に係るコンテンツ配信システムおよびワンセグメント放送装置は、放送するコンテンツの選択の自由度を大幅に向上させることができ、緊急時の避難誘導などに極めて有用であることから、緊急時に災害等情報を配信する同報無線システム（防災システム）に好適に利用することができる。
【符号の説明】
【０１９６】
１      コンテンツ配信システム
２      同報無線システム（防災システム）
３      送出設備
６      ワンセグ放送装置（ワンセグメント放送装置、ワンセグメント放送手段）
６ｃ    ＣＰＵ部
６ｄ    記憶部（記憶手段）
６ｋ    第１検査手段
６ｍ    第４検査手段
７      ネットワーク（ＩＰ網）
７ａ    第１ネットワーク
７ｂ    第２ネットワーク
８      ワンセグメント受信機
１５    ＣＭＳ
１５ａ  ＴＳファイル
２５    同報無線親局
２５ｋ  第２検査手段
２６    屋外子局
２６ｃ  制御部
２６ｄ  拡声器用アンプ
２６ｒ  無線機
２６ｋ  第３検査手段
２７    操作卓
２９    トランペットスピーカ
３４    同報無線
３５    通信回線
３６    ＵＨＦ帯無線
【図１】
2014155116.tif 000003
【図２】
2014155116.tif 000004
【図３】
2014155116.tif 000005
【図４】
2014155116.tif 000006
【図５】
2014155116.tif 000007
【図６】
2014155116.tif 000008
【図７】
2014155116.tif 000009
【図８】
2014155116.tif 000010
【図９】
2014155116.tif 000011